(57)【要約】【課題】取り扱いに注意が必要なデバイスを、本来の使用目的や条件以外で使用されることを防ぐことが可能なコネクターと、コネクターによって接続される電気回路を備える電気機器を提供する。【解決手段】コネクター１００は、受容側端子１２０と、受容側端子１２０に受容される挿入側端子１１０と、受容側端子１２０と挿入側端子１１０とを電気的に接続するための導電部１３０とを備える。導電部１３０は、挿入側端子１１０に粘着することが可能な粘性体によって形成されている。【選択図】図２
2010219008.tif 000002
【特許請求の範囲】
【請求項１】
受容部と、
前記受容部に受容される被受容部と、
前記受容部と前記被受容部とを電気的に接続するための導電部とを備え、
前記導電部は、前記被受容部に粘着することが可能な粘性体によって形成されている、コネクター。
【請求項２】
前記受容部は、前記被受容部を受容するための筐体を含み、
前記導電部は、前記筐体の内部に収容されている、請求項１に記載のコネクター。
【請求項３】
前記導電部は、力が加えられるときに変形し、力が加えられないときには変形しにくい粘性体によって形成され、
前記被受容部が、前記受容部に受容された後、前記受容部から取り除かれると、前記粘性体の一部が前記被受容部に粘着する、請求項１または請求項２に記載のコネクター。
【請求項４】
前記粘性体は、接着剤である、請求項１から請求項３までのいずれか１項に記載のコネクター。
【請求項５】
前記導電部によって前記受容部と前記被受容部とが電気的に接続された場合に、前記受容部と前記被受容部との間の電気抵抗値が１Ω以下である、請求項１から請求項４までのいずれか１項に記載のコネクター。
【請求項６】
コネクターによって接続される電気回路を備え、
前記コネクターは、請求項１から請求項５までのいずれか１項に記載のコネクターを含む、電気機器。
【発明の詳細な説明】
【技術分野】
【０００１】
この発明は、プリント基板上の回路などと外部の回路などを電気的に接続するコネクターと、コネクターによって接続される電気回路を備える電気機器に関する。
【背景技術】
【０００２】
従来、プリント基板上などの回路と、外部の別の回路とを電気的に接続するために、コネクターが用いられることがよくある。
【０００３】
図１４は、従来のコネクターの一例の概略を示す図である。図１４の（Ａ）は、コネクターの挿入側端子の上面を示す図であり、図１４の（Ｂ）は、図１４の（Ａ）に示す挿入側端子をＢ−Ｂ線の方向から見た断面を示す断面図であり、図１４の（Ｃ）は、コネクターの受容側端子の断面を示す断面図であり、図１４の（Ｄ）は、挿入側端子と受容側端子とを接続させた状態を示す断面図である。
【０００４】
図１４に示すコネクターは、一般に基板取付型と呼ばれるコネクターである。図１４に示すように、従来のコネクターは、例えば挿入側端子（おす側端子）９１０と受容側端子（めす側端子）９２０とから構成される。
【０００５】
図１４の（Ａ）と（Ｂ）に示すように、挿入側端子９１０は、板状のベース９１１にピン９１２が取り付けられた基板取付端子である。ピン９１２は板状のベース９１１を貫通するように取り付けられており、ピン９１２の両端がベース９１１から突出している。ピン９１２において、ベース９１１からの突出量が少ない側は、回路基板に挿入されて半田付け等で固定される。ベース９１１は非導電性の材質によって形成され、ピン９１２は、導電性の材質によって形成されている。
【０００６】
図１４の（Ｃ）に示すように、受容側端子９２０は、レセプタクル（ソケット）９２２がハウジング９２１に挿入されて固定されたものである。レセプタクル９２２には、リード線９２３が接続されている。ハウジング９２１は非導電性の材質によって形成され、レセプタクル９２２は導電体によって形成されている。レセプタクル９２２はリード線９２３を介して回路に接続されている。
【０００７】
図１４の（Ｄ）に示すように、挿入側端子９１０を受容側端子９２０に挿入して、挿入側端子９１０のピン９１２と受容側端子９２０のレセプタクル９２２とを互いに接触させることによって、挿入側端子９１０と受容側端子９２０とが電気的に接続される。挿入側端子９１０と受容側端子９２０とが電気的に接続されると、挿入側端子９１０に接続されている回路と、受容側端子９２０に接続されている回路とが電気的に接続される。
【０００８】
このようなコネクターには、挿入側端子と受容側端子との接続時に接続の向きを間違えることがないように、コネクターを形成するピンを保持するベースと、レセプタクルを保持するハウジングに、誤挿入を防ぐような形状が付加されているものがある。
【０００９】
また、実開昭６３−１１２７８０号公報（特許文献１）には、電線の抜け出しを防止し、接触信頼性を向上させるために、電線保持部に抜け止めを突設した電気コネクターが記載されている。
【００１０】
挿入側端子と受容側端子とから構成されるこのようなコネクターには、一般の使用者向けの既製品のものがある。既製品のコネクターの受容側端子のハウジングとレセプタクル、または、挿入側端子（ピンをベースに取付けたもの）は、誰でも容易に入手することが可能である。また、互いに接続されている挿入側端子と受容側端子は、容易に取り外すことができ、接続と取り外しを繰り返し行なって使用することが可能である。
【先行技術文献】
【特許文献】
【００１１】
【特許文献１】実開昭６３−１１２７８０号公報
【発明の概要】
【発明が解決しようとする課題】
【００１２】
しかしながら、使用者がコネクターの挿入側端子と受容側端子とを容易に入手することができ、挿入側端子と受容側端子の接続と取り外しとを繰り返すことが可能である場合には、次のような問題がある。
【００１３】
例えば、イオン発生器を備える空気清浄機では、コネクターを介して、本体の電源部とイオン発生器とが接続される。イオン発生器には本体の電源部から電力が供給される。イオン発生器は高電圧を出力するデバイスであるので、取り扱いには注意が必要である。しかし、使用者は、空気清浄機の本体からイオン発生器を取り外して、イオン発生器を、コネクターが合う別の電源部に接続することができる。また使用者は、空気清浄機本体の電源部に、イオン発生器とは別の、コネクターが合う機器を接続することができる。
【００１４】
このように、取り扱いに注意が必要なデバイスを、元々接続されている機器から使用者が取り外し、別の機器に接続し直して本来の使用目的とは異なる目的のために使用したり、適切な使用条件を満たさない状況下で使用したりする可能性がある。
【００１５】
そこで、この発明の目的は、取り扱いに注意が必要なデバイスを、本来の使用目的や条件以外で使用されることを防ぐことが可能なコネクターと、コネクターによって接続される電気回路を備える電気機器を提供することである。
【課題を解決するための手段】
【００１６】
この発明に従ったコネクターは、受容部と、受容部に受容される被受容部と、受容部と被受容部とを電気的に接続するための導電部とを備える。導電部は、被受容部に粘着することが可能な粘性体によって形成されている。
【００１７】
コネクターの受容部に被受容部が受容されると、被受容部と受容部とは、粘性体によって形成されている導電部によって電気的に接続される。このとき、粘性体は、被受容部に粘着する。
【００１８】
使用者が被受容部を受容部から取り外すときには、被受容部には導電部を形成する粘性体の全部または一部、すなわち、少なくとも一部が付着したまま、被受容部が受容部から取り外される。すなわち、導電部を形成する粘性体の全部が被受容部に付着したまま、被受容部が受容部から取り外されると、導電部の全部が被受容部とともに受容部から取り除かれる。また、導電部を形成する粘性体の一部が被受容部に付着したまま、被受容部が受容部から取り出されると、導電部の一部が被受容部とともに受容部から取り除かれる。このように、使用者が被受容部を受容部から取り外すと、導電部の少なくとも一部が被受容部とともに受容部から取り除かれる。
【００１９】
導電部の全部が被受容部とともに受容部から取り除かれる場合には、次に使用者が別の被受容部を受容部に受容させても、被受容部と受容部とが導電部によって電気的に接続されることがない。また、導電部の一部が被受容部とともに受容部から取り除かれる場合には、次に使用者が別の被受容部を受容部に受容させても、被受容部と受容部とが導電部によって電気的に安定して接続されにくくなる。したがって、使用者は、一旦、被受容部が取り外された受容部を、別の被受容部を受容させるために再び使用することが困難になる。
【００２０】
このようにすることにより、取り扱いに注意が必要なデバイスを、本来の使用目的や条件以外で使用されることを防ぐことが可能なコネクターを提供することができる。
【００２１】
この発明に従ったコネクターにおいては、受容部は、被受容部を受容するための筐体を含み、導電部は、筐体の内部に収容されていることが好ましい。
【００２２】
このようにすることにより、導電部を形成する粘性体を、筐体の内部に保持することが容易になる。粘性体を筐体の内部に保持することによって、導電部によって受容部と被受容部とが安定して電気的に接続されやすくなる。
【００２３】
この発明に従ったコネクターにおいては、導電部は、力が加えられるときに変形し、力が加えられないときには変形しにくい粘性体によって形成され、被受容部が、受容部に受容された後、受容部から取り除かれると、粘性体の一部が被受容部に粘着することが好ましい。
【００２４】
最初に被受容部が受容部に受容されるとき、導電部を形成する粘性体には力が加えられる。力を加えられた粘性体は、例えば、被受容部と受容部との間を満たすような形状に変形する。
【００２５】
受容部に被受容部が受容された後は、導電部には力が加えられないので、導電部を形成する粘性体は変形しにくくなる。導電部は、例えば、被受容部と受容部との間を満たすような形状に変形された状態のままで保たれる。受容部と被受容部とは、変形された状態のままで保たれている導電部によって、安定して電気的に接続される。
【００２６】
次に、使用者が被受容部を受容部から取り外すときには、導電部を形成する粘性体に再び力が加えられて、粘性体が変形する。被受容部が受容部から取り外されると、被受容部には、粘性体によって形成される導電部の一部が変形された状態のままで付着して、被受容部とともに受容部から取り除かれる。一方、受容部には、粘性体によって形成される導電部の一部が、変形された状態のままで残される。
【００２７】
一旦、被受容部が受容部から取り除かれると、その後は導電部を形成する粘性体に力が加えられないので、粘性体は変形しにくくなる。受容部においては、導電部の一部が、変形された状態のままで残される。受容部に残される導電部は、被受容部とともに受容部から取り除かれた導電部の分だけ、例えば、穴が形成されたような形状に変形されたままで保たれる。
【００２８】
使用者が次に、この受容部に別の被受容部を受容させようとするとき、受容部においては、導電部の一部が取り除かれて、例えば、穴が形成されたような形状のまま保たれている。そのため、使用者が別の被受容部をこの受容部に受容させようとしても、受容部に残されている、一部が取り除かれて変形された導電部の形状と、受容部に受容される被受容部の形状とが合わずに、被受容部と受容部とが電気的に安定して接続されにくくなる。したがって、使用者は、一旦、被受容部が取り外された受容部を、別の被受容部を受容させるために再び使用することが困難になる。
【００２９】
この発明に従ったコネクターにおいては、粘性体は、接着剤であることが好ましい。
【００３０】
このようにすることにより、被受容部と受容部とを接続するときにカシメ等の工程を設ける必要がなくなるので、コネクターによって電気的に接続される部品の取り付けが簡単になる。また、使用者にとって、被受容部を受容部から取り外すことが困難になる。また、被受容部に粘着した接着剤を被受容部から取り除くことも困難になる。被受容部から接着剤を取り除くことができたとしても、取り除いた接着剤を元通りにすることはできない。そのため、使用者は、一旦、被受容部が取り外された受容部を、別の被受容部を受容させるために再び使用することがさらに困難になる。
【００３１】
この発明に従ったコネクターにおいては、導電部によって受容部と被受容部とが電気的に接続された場合に、受容部と被受容部との間の電気抵抗値が１Ω以下であることが好ましい。
【００３２】
このようにすることにより、抵抗による電圧降下、発熱など、電気的接続時に発生する諸問題を抑制することが可能になる。
【００３３】
この発明に従った電気機器においては、コネクターによって接続される電気回路を備え、コネクターは、上記のいずれかのコネクターを含むことが好ましい。
【００３４】
このような電気機器では、コネクターによって接続される部品を使用者が取り外して、他の機器に接続し直して使用することが困難になる。
【００３５】
このようにすることにより、取り扱いに注意が必要なデバイスを、本来の使用目的や条件以外で使用されることを防ぐことが可能な電気機器を提供することができる。
【発明の効果】
【００３６】
以上のように、この発明によれば、取り扱いに注意が必要なデバイスを、本来の使用目的や条件以外で使用されることを防ぐことが可能なコネクターと、コネクターによって接続される電気回路を備える電気機器を提供することができる。
【図面の簡単な説明】
【００３７】
【図１】この発明の第１実施形態として、電気機器の全体を模式的に示す図である。
【図２】コネクターの挿入側端子の上面を示す図（Ａ）と、図２の（Ａ）に示す挿入側端子をＢ−Ｂ線の方向から見たときの挿入側端子の断面を示す断面図（Ｂ）と、コネクターの受容側端子の断面を示す断面図（Ｃ）である。
【図３】受容側端子の一部を拡大して示す断面図である。
【図４】コネクターが接続される前の状態（Ａ）と、コネクターが接続されているときの状態（Ｂ）を示す断面図である。図４には、コネクターの一部分を示す。
【図５】挿入側端子が取り外されるときの状態（Ａ）と、挿入側端子が取り外された後の受容側端子の状態を示す断面図である。
【図６】図５の（Ｂ）に示す受容側端子に別の挿入側端子を挿入したときの状態を示す断面図である。
【図７】第２実施形態のコネクターの挿入側端子の上面を示す図（Ａ）と、図７の（Ａ）に示すＢ−Ｂ線の方向から見た挿入側端子の断面を示す断面図（Ｂ）と、コネクターの受容側端子の断面を示す断面図（Ｃ）である。
【図８】コネクターが接続される前の状態（Ａ）と、コネクターが接続されているときの状態（Ｂ）を示す断面図である。
【図９】挿入側端子が取り外されたときのコネクターの状態を示す断面図である。
【図１０】第３実施形態として、コネクターが接続される前の状態（Ａ）と、コネクターが接続されているときの状態（Ｂ）を示す断面図である。
【図１１】挿入側端子が取り外されたときのコネクターの状態を示す断面図である。
【図１２】第４実施形態としてコネクターの全体を示す模式的に示す断面図である。
【図１３】第５実施形態として、コネクターの挿入側端子の形態の例を示す断面図である。
【図１４】従来のコネクターの一例の概略を示す図である。
【発明を実施するための形態】
【００３８】
以下、この発明の実施の形態を図面に基づいて説明する。
【００３９】
（第１実施形態）
図１は、この発明の第１実施形態として、電気機器の全体を模式的に示す図である。
【００４０】
図１に示すように、電気機器１は、高電圧が印加されることによって駆動される高電圧デバイス１０と、高電圧デバイス１０に高電圧を印加するための電源部２０と、高電圧デバイス１０と電源部２０とを電気的に接続するコネクター１００とを備える。高電圧デバイス１０は電気回路１１を有し、電源部２０は電気回路２１を有する。電気機器１は、例えば、空気調和機や空気清浄機などの電気機器である。高電圧デバイス１０は、例えば、イオン発生素子である。
【００４１】
高電圧デバイス１０の電気回路１１と、電源部２０の電気回路２１は、コネクター１００を介して接続されている。高電圧デバイス１０には、例えば、コネクター１００の受容部として受容側端子が取り付けられ、電源部２０には、例えば、コネクター１００の被受容部として挿入側端子が取り付けられている。
【００４２】
図２は、コネクターの挿入側端子の上面を示す図（Ａ）と、図２の（Ａ）に示す挿入側端子をＢ−Ｂ線の方向から見たときの挿入側端子の断面を示す断面図（Ｂ）と、コネクターの受容側端子の断面を示す断面図（Ｃ）である。
【００４３】
図２の（Ａ）と（Ｂ）に示すように、挿入側端子１１０は、板状のベース１１１にピン１１２が取り付けられた基板取付端子である。ピン１１２は板状のベース１１１を貫通するように取り付けられており、ピン１１２の両端がベース１１１から突出している。ピン１１２において、ベース１１１からの突出量が少ない側は、図１に示す電気機器１の電源部２０の電気回路２１の回路基板に挿入されて半田付け等で固定される。ベース１１１は非導電性の材質によって形成され、ピン１１２は導電性の材質によって形成されている。
【００４４】
図２の（Ｃ）に示すように、受容側端子１２０は、レセプタクル（ソケット）１２２がハウジング１２１に挿入されて固定されたものである。レセプタクル１２２は、樹脂など、非導電性の材質によって形成されている。レセプタクル１２２の内部には、導電部１３０が収容されている。レセプタクル１２２の内部に収容されている導電部１３０は、リード線１２３を介して、レセプタクル１２２の外部の回路に接続されている。レセプタクル１２２は、筐体の一例である。
【００４５】
図３は、受容側端子の一部を拡大して示す断面図である。
【００４６】
図３に示すように、受容側端子１２０のハウジング１２１の内部には、レセプタクル１２２が挿入されて固定されている。
【００４７】
レセプタクル１２２の内部には、導電部１３０が収容されている。レセプタクル１２２内において、レセプタクル１２２の底面から所定の高さに導電部１３０を保持するために、レセプタクル１２２の内部は、下部では径が小さく、上部では径が大きく形成されている。レセプタクル１２２の上部の径が大きい部分は、導電部１３０を保持するための導電部収容部１２２ａである。レセプタクル１２２においては、導電部１３０は、導電部収容部１２２ａに収容されている。
【００４８】
導電部１３０は、導電性を有する粘性体によって形成されている。導電部１３０を形成する粘性体は、粘性が高く、長時間同じ形状を保つことができる軟質の樹脂やゴムまたはゲルなどであることが望ましい。また、導電部１３０を形成する粘性体は、接着剤であってもよい。導電部１３０を接着剤によって形成する場合には、一旦、接着されたものが取り外しできる程度の接着力を有する接着剤にすることが好ましい。また、粘性体は、コネクターの電気的接続時の抵抗値が１Ω以下となるような材料によって形成されていることが好ましい。
【００４９】
導電部収容部１２２ａ内の下部には、電気的接続部１２４が配置されている。電気的接続部１２４は、導電体によって形成されている。電気的接続部１２４は、リード線１２３の一方の端部に接続されている。導電部１３０は、電気的接続部１２４の上に載せられた状態で、導電部収容部１２２ａ内に収容される。電気的接続部１２４に接続されているリード線１２３は、電気的接続部１２４を介して、導電部１３０と電気的に接続される。リード線１２３の他方の端部は、図１に示す電気機器１の高電圧デバイス１０の電気回路１１に接続されている。
【００５０】
図４は、コネクターが接続される前の状態（Ａ）と、コネクターが接続されているときの状態（Ｂ）を示す断面図である。図４には、コネクターの一部分を示す。
【００５１】
図４の（Ａ）に示すように、挿入側端子１１０を受容側端子１２０のレセプタクル１２２内に、矢印で示すように、上方向から下方向に向けて挿入する。挿入側端子１１０がレセプタクル１２２内に挿入されるとき、挿入側端子１１０のピン１１２は導電部１３０に力を加える。導電部１３０は、ピン１１２によって加えられた力の大きさや向きに応じて変形する。
【００５２】
図４の（Ｂ）に示すように、ピン１１２の先端がレセプタクル１２２の底面に当たるまでレセプタクル１２２内に挿入されると、ピン１１２は、導電部収容部１２２ａに収容されている導電部１３０を貫通する。ピン１１２が導電部１３０を貫通するように、導電部１３０に力が加えられることによって、導電部１３０は、ピン１１２によって穴が形成されたような形状に変形させられる。ピン１１２によって力を加えられて穴が開けられるように変形した導電部１３０は、開けられた穴の周囲においてピン１１２の外周面に接触して、ピン１１２に粘着する。
【００５３】
導電部収容部１２２ａは、ピン１１２の高さ方向において中央部に位置するように配置されている。導電部１３０は、導電部収容部１２２ａ内に収容されているので、導電部１３０を貫通しているピン１１２の高さ方向において中央部の外周面に粘着する。
【００５４】
挿入側端子１１０が受容側端子１２０に取り付けられて、挿入側端子１１０に力が加えられなければ、導電部１３０には力が加えられない。そのため、挿入側端子１１０が受容側端子１２０に取り付けられた後は、導電部１３０は、ピン１１２によって貫通されて穴が形成されるように変形され、この穴の周囲において導電部１３０を貫通しているピン１１２の外周面に粘着したままの状態で保たれる。
【００５５】
導電部１３０は、導電性を有する粘性体によって形成されているので、導電部１３０がピン１１２に粘着することによって、ピン１１２と導電部１３０とが電気的に接続されることが可能になる。また、上述のように、導電部１３０は電気的接続部１２４を介してリード線１２３に接続されているので、導電部１３０がピン１１２に粘着することによって、ピン１１２とリード線１２３とが電気的に接続されることが可能になる。このようにして、ピン１１２は、導電部１３０と電気的接続部１２４とを介して、リード線１２３と電気的に接続されることが可能になる。
【００５６】
挿入側端子１１０のピン１１２と受容側端子１２０のリード線１２３とが電気的に接続されることによって、ピン１１２に接続されている電気回路２１（図１）と、リード線１２３に接続されている電気回路１１（図１）とが電気的に接続される。
【００５７】
図５は、挿入側端子が取り外されるときの状態（Ａ）と、挿入側端子が取り外された後の受容側端子の状態を示す断面図である。図５には、コネクターの一部分を示す。
【００５８】
図５の（Ａ）に示すように、使用者が挿入側端子１１０を受容側端子１２０から取り外すと、挿入側端子１１０のピン１１２が、受容側端子１２０のレセプタクル１２２から抜かれる。ピン１１２の外周面には、粘性体によって形成されている導電部１３０が粘着しているので、また、ピン１１２がレセプタクル１２２から抜き取られるときには、レセプタクル１２２内の導電部１３０に再び力が加えられる。導電部１３０を形成する粘性体は、加えられる力の大きさや向きに応じて変形する。この実施形態では、導電部１３０を貫通しているピン１１２が、導電部１３０を貫通している穴からまっすぐに上方向に引き抜かれる。導電部１３０を貫通している穴からピン１１２が引き抜かれると、ピン１１２の外周面に粘着している導電部１３０の少なくとも一部は、ピン１１２に粘着したままで、ピン１１２とともにレセプタクル１２２から取り出される。そのため、ピン１１２が導電部１３０を貫通している穴から引き抜かれると、導電部１３０は、中央部に、ピン１１２と、ピン１１２とともに取り除かれた導電部１３０との分だけ、穴１３１が形成されたような状態に変形される。
【００５９】
このように、ピン１１２に粘着した導電部１３０は、ピン１１２とともにレセプタクル１２２から抜き取られる。図５の（Ａ）には、一部の導電部１３０ａのみがピン１１２の外周面に付着して、ピン１１２とともにレセプタクル１２２から取り除かれる場合について示している。しかし、導電部１３０の全部がピン１１２に粘着して、導電部１３０の全部がピン１１２とともにレセプタクル１２２から取り除かれてもよい。
【００６０】
このようにして、使用者が挿入側端子１１０を受容側端子１２０から取り外すと、レセプタクル１２２内に収容されていた導電部１３０の一部または全部、すなわち、少なくとも一部の導電部１３０ａが、挿入側端子１１０とともにレセプタクル１２２から取り除かれる。
【００６１】
図５の（Ｂ）に示すように、挿入側端子１１０を取り外した後には、受容側端子１２０の導電部１３０には、力が加えられない。そのため、レセプタクル１２２内に残されている導電部１３０は、穴１３１が形成された状態のままで保たれる。
【００６２】
導電部１３０が接着剤によって形成されている場合には、ピン１１２やレセプタクル１２２から接着剤を取り除くことが難しい。また、ピン１１２やレセプタクル１２２から接着剤を取り除いたとしても、取り除いた接着剤をもう一度、元通りにレセプタクル１２２内に充填することが非常に困難である。
【００６３】
図６は、図５の（Ｂ）に示す受容側端子に別の挿入側端子を挿入したときの状態を示す断面図である。図６には、コネクターの一部分を示す。
【００６４】
図６に示すように、挿入側端子１１０ａの形状は、図４に示す形状と同一であって、ベース１１１ａにピン１１２ａが取り付けられており、端子数も同一である。しかし、受容側端子１２０のレセプタクル１２２内からは導電部１３０の一部が取り除かれて、導電部１３０には穴１３１が形成されたままの状態に保たれている。この穴１３１は、上述のように、ピン１１２と、ピン１１２に粘着した一部の導電部１３０ａ（図５の（Ａ））とがレセプタクル１２２から取り除かれるときに、導電部１３０に力が加えられて形成された穴１３１である。
【００６５】
挿入側端子１１０ａのピン１１２ａをレセプタクル１２２内に挿入すると、ピン１１２ａの先端は、既に導電部１３０を貫通するように形成された穴１３１を通り抜けて、レセプタクル１２２の底面に当たる。挿入側端子１１０ａが受容側端子１２０に取り付けられた状態では、穴１３１の内周面は、ピン１１２ａの外周面から間隔をあけて、ピン１１２ａの外周面を覆う。すなわち、穴１３１を形成する導電部１３０は、ピン１１２ａの外周面に接触しない。
【００６６】
このように、最初に受容側端子１２０に取り付けられていた挿入側端子１１０とは別の挿入側端子１１０ａを受容側端子１２０に取り付けても、ピン１１２ａの外周面と導電部１３０とが接触しない。ピン１１２ａと導電部１３０とが接触しなければ、ピン１１２ａは、導電部１３０と電気的接続部１２４とを介してリード線１２３に電気的に接続されない。従って、使用者は、最初に接続されていた挿入側端子１１０を取り外した受容側端子１２０に、別の挿入側端子１１０ａを挿入しても、挿入側端子１１０ａと受容側端子１２０とを電気的に接続することができなくなる。
【００６７】
挿入側端子１１０ａが傾けられるなどして、ピン１１２ａが一時的に穴１３１の周囲の導電部１３０と接触する場合がある。ピン１１２ａが導電部１３０に接触すると、導電部１３０を介して、挿入側端子１１０ａと受容側端子１２０とが電気的に接続されることが可能になる。しかし、このような一時的な接触では、挿入側端子１１０ａと受容側端子１２０とを安定して電気的に接続することはできない。
【００６８】
また、一方、最初に受容側端子１２０に取り付けられていた挿入側端子１１０のピン１１２をレセプタクル１２２から取り外すときに、導電部１３０の全部が取り除かれた場合には、挿入側端子１１０ａが傾けられたりしても、ピン１１２ａは導電部１３０とは接触しない。そのため、この場合には、挿入側端子１１０ａと受容側端子１２０とが電気的に接続されない。
【００６９】
以上のように、第１実施形態のコネクター１００は、受容側端子１２０と、受容側端子１２０に受容される挿入側端子１１０と、受容側端子１２０と挿入側端子１１０とを電気的に接続するための導電部１３０とを備える。導電部１３０は、挿入側端子１１０に粘着することが可能な粘性体によって形成されている。
【００７０】
コネクター１００の受容側端子１２０に挿入側端子１１０が受容されると、挿入側端子１１０と受容側端子１２０とは、粘性体によって形成されている導電部１３０によって電気的に接続される。このとき、粘性体は、挿入側端子１１０に粘着する。
【００７１】
使用者が挿入側端子１１０を受容側端子１２０から取り外すときには、挿入側端子１１０には導電部１３０を形成する粘性体の全部または一部、すなわち、少なくとも一部が付着したまま、挿入側端子１１０が受容側端子１２０から取り外される。すなわち、導電部１３０を形成する粘性体の全部が挿入側端子１１０に付着したまま、挿入側端子１１０が受容側端子１２０から取り外されると、導電部１３０の全部が挿入側端子１１０とともに受容側端子１２０から取り除かれる。また、導電部１３０を形成する粘性体の一部が挿入側端子１１０に付着したまま、挿入側端子１１０が受容側端子１２０から取り出されると、導電部１３０の一部が挿入側端子１１０とともに受容側端子１２０から取り除かれる。このように、使用者が挿入側端子１１０を受容側端子１２０から取り外すと、導電部１３０の少なくとも一部が挿入側端子１１０とともに受容側端子１２０から取り除かれる。
【００７２】
導電部１３０の全部が挿入側端子１１０とともに受容側端子１２０から取り除かれる場合には、次に使用者が別の挿入側端子１１０を受容側端子１２０に受容させても、挿入側端子１１０と受容側端子１２０とが導電部１３０によって電気的に接続されることがない。また、導電部１３０の一部が挿入側端子１１０とともに受容側端子１２０から取り除かれる場合には、次に使用者が別の挿入側端子１１０を受容側端子１２０に受容させても、挿入側端子１１０と受容側端子１２０とが導電部１３０によって電気的に安定して接続されにくくなる。したがって、使用者は、一旦、挿入側端子１１０が取り外された受容側端子１２０を、別の挿入側端子１１０を受容させるために再び使用することが困難になる。
【００７３】
このようにすることにより、取り扱いに注意が必要なデバイスを、本来の使用目的や条件以外で使用されることを防ぐことが可能なコネクター１００を提供することができる。
【００７４】
また、第１実施形態のコネクター１００においては、受容側端子１２０は、挿入側端子１１０を受容するためのレセプタクル１２２を含み、導電部１３０は、レセプタクル１２２の内部に収容されている。
【００７５】
このようにすることにより、導電部１３０を形成する粘性体を、レセプタクル１２２の内部に保持することが容易になる。粘性体をレセプタクル１２２の内部に保持することによって、導電部１３０によって受容側端子１２０と挿入側端子１１０とが安定して電気的に接続されやすくなる。
【００７６】
また、第１実施形態のコネクター１００においては、導電部１３０は、力が加えられるときに変形し、力が加えられないときには変形しにくい粘性体によって形成され、挿入側端子１１０が、受容側端子１２０に受容された後、受容側端子１２０から取り除かれると、粘性体の一部が挿入側端子１１０に粘着する。
【００７７】
最初に挿入側端子１１０が受容側端子１２０に受容されるとき、導電部１３０を形成する粘性体には力が加えられる。力を加えられた粘性体は、例えば、挿入側端子１１０と受容側端子１２０との間を満たすような形状に変形する。
【００７８】
受容側端子１２０に挿入側端子１１０が受容された後は、導電部１３０には力が加えられないので、導電部１３０を形成する粘性体は変形しにくくなる。導電部１３０は、例えば、挿入側端子１１０と受容側端子１２０との間を満たすような形状に変形された状態のままで保たれる。受容側端子１２０と挿入側端子１１０とは、変形された状態のままで保たれている導電部１３０によって、安定して電気的に接続される。
【００７９】
次に、使用者が挿入側端子１１０を受容側端子１２０から取り外すときには、導電部１３０を形成する粘性体に再び力が加えられて、粘性体が変形する。挿入側端子１１０が受容側端子１２０から取り外されると、挿入側端子１１０には、粘性体によって形成される導電部１３０の一部が変形された状態のままで付着して、挿入側端子１１０とともに受容側端子１２０から取り除かれる。一方、受容側端子１２０には、粘性体によって形成される導電部１３０の一部が、変形された状態のままで残される。
【００８０】
一旦、挿入側端子１１０が受容側端子１２０から取り除かれると、その後は導電部１３０を形成する粘性体に力が加えられないので、粘性体は変形しにくくなる。受容側端子１２０においては、導電部１３０の一部が変形された状態のままで残される。受容側端子１２０に残される導電部１３０は、挿入側端子１１０とともに受容側端子１２０から取り除かれた導電部１３０ａの分だけ、穴１３１が形成されたような形状に変形されたままで保たれる。
【００８１】
使用者が次に、この受容側端子１２０に別の挿入側端子１１０を受容させようとするとき、受容側端子１２０においては、導電部１３０の少なくとも一部が取り除かれて、穴１３１が開いた形状のまま保たれている。そのため、使用者が別の挿入側端子１１０をこの受容側端子１２０に受容させようとしても、受容側端子１２０に残されている、一部が取り除かれて変形された導電部１３０の形状と、受容側端子１２０に受容される挿入側端子１１０の形状とが合わずに、挿入側端子１１０と受容側端子１２０とが電気的に安定して接続されにくくなる。したがって、使用者は、一旦、挿入側端子１１０が取り外された受容側端子１２０を、別の挿入側端子１１０を受容させるために再び使用することが困難になる。
【００８２】
また、第１実施形態のコネクター１００においては、粘性体は、接着剤であることが好ましい。
【００８３】
このようにすることにより、挿入側端子１１０と受容側端子１２０とを接続するときにカシメ等の工程を設ける必要がなくなるので、コネクター１００によって電気的に接続される部品の取り付けが簡単になる。また、使用者にとって、挿入側端子１１０を受容側端子１２０から取り外すことが困難になる。また、挿入側端子１１０に粘着した接着剤を挿入側端子１１０から取り除くことも困難になる。挿入側端子１１０から接着剤を取り除くことができたとしても、取り除いた接着剤を元通りにすることはできない。そのため、使用者は、一旦、挿入側端子１１０が取り外された受容側端子１２０を、別の挿入側端子１１０を受容させるために再び使用することがさらに困難になる。
【００８４】
また、第１実施形態のコネクター１００においては、導電部１３０によって受容側端子１２０と挿入側端子１１０とが電気的に接続された場合に、受容側端子１２０と挿入側端子１１０との間の電気抵抗値が１Ω以下であることが好ましい。
【００８５】
このようにすることにより、抵抗による電圧降下、発熱など、電気的接続時に発生する諸問題を抑制することが可能になる。
【００８６】
また、第１実施形態の電気機器１においては、コネクター１００によって接続される電気回路１１と電気回路２１とを備える。
【００８７】
このような電気機器１では、コネクター１００によって接続される部品を使用者が取り外して、他の機器に接続し直して使用することが困難になる。
【００８８】
このようにすることにより、取り扱いに注意が必要な高電圧デバイス１０を、本来の使用目的や条件以外で使用されることを防ぐことが可能な電気機器１を提供することができる。
【００８９】
なお、図１に示す電気機器１は、コネクター１００によって、高電圧デバイス１０に電源部２０の電源を接続するだけでなく、挿入側端子１１０と受容側端子１２０の装着状態を確認するための信号などを交換することが可能であるように構成することができる。このように構成されていれば、接続信号が不規則に変動する場合には電源を遮断するなどの保護動作をさせることが可能となる。
【００９０】
また、第１実施形態においては、レセプタクル１２２は樹脂製であるとしたが、レセプタクル１２２は導電性の材料によって形成されてもよい。レセプタクル１２２が樹脂製の場合には、リード線１２３はレセプタクル１２２を貫通して、電気的接続部１２４に接続される。一方、レセプタクル１２２が従来同様に金属製である場合は、レセプタクル１２２に直接、リード線１２３を接続する構造とする。レセプタクル１２２に直接、リード線１２３を接続する方法としては、カシメや半田付けが一般的である。
【００９１】
（第２実施形態）
図７は、第２実施形態のコネクターの挿入側端子の上面を示す図（Ａ）と、図７の（Ａ）に示すＢ−Ｂ線の方向から見た挿入側端子の断面を示す断面図（Ｂ）と、コネクターの受容側端子の断面を示す断面図（Ｃ）である。
【００９２】
図７の（Ａ）と（Ｂ）に示すように、第２実施形態のコネクターの挿入側端子２１０は、第１実施形態の挿入側端子１１０（図１）と同様に、非導電性の材質によって形成されている板状のベース２１１に、導電性の材質によって形成されているピン２１２が取り付けられた基板取付端子である。
【００９３】
図７の（Ｃ）に示すように、受容側端子２２０は、レセプタクル（ソケット）２２２がハウジング２２１に挿入されて固定されたものである。レセプタクル２２２は、非導電性の材質によって形成されている。第２実施形態の受容側端子２２０が第１実施形態の受容側端子１２０と異なる点としては、レセプタクル２２２は円筒状に形成されている。レセプタクル２２２の内周面上には、導電性の材質によって形成される電気的接続部２２４が配置されている。レセプタクル２２２の内部には、導電部２３０が収容されている。導電部２３０は、電気的接続部２２４の内周面上を覆うように、電気的接続部２２４に接触するように収容されている。リード線２２３は、レセプタクル２２２を貫通して、電気的接続部２２４に接続される。リード線２２３の一方の端部は、電気的接続部２２４を介して、導電部２３０と電気的に接続されている。リード線２２３の他方の端部は、第１実施形態と同様に、例えば、図１に示す電気機器１の高電圧デバイス１０の電気回路１１に接続されている。
【００９４】
第２実施形態の受容側端子２２０が第１実施形態の受容側端子１２０と異なる他の点としては、受容側端子２２０においては、レセプタクル２２２の径は、最下部から最上部まで、一定である。また、レセプタクル２２２の高さ方向には、レセプタクル２２２の最下部まで導電部２３０が詰められている一方で、水平方向には、レセプタクル２２２の中心部には導電部２３０が詰められておらず、穴部２２５が形成されている。穴部２２５の内径は、挿入側端子２１０のピン２１２の径と同じ大きさであるように形成されている。導電部２３０の厚みは、できるだけ薄い方が望ましい。
【００９５】
第２実施形態のコネクターのその他の構成は、第１実施形態のコネクターと同様である。
【００９６】
図８は、コネクターが接続される前の状態（Ａ）と、コネクターが接続されているときの状態（Ｂ）を示す断面図である。図８には、コネクターの一部分を示す。
【００９７】
図８の（Ａ）に示すように、第２実施形態のコネクター２００では、挿入側端子２１０を受容側端子２２０のレセプタクル２２２内に、矢印で示すように、上方向から下方向に向かって挿入する。導電部２３０には、あらかじめ穴部２２５が形成されているので、挿入側端子２１０のピン２１２は、導電部２３０に大きな力を加えることなく、穴部２２５に挿入される。導電部２３０には大きな力が加えられないので、変形しにくい。
【００９８】
図８の（Ｂ）に示すように、挿入側端子２１０がレセプタクル２２２内に挿入されると、挿入側端子２１０のピン２１２の外周面において、下部の全体が導電部２３０に覆われる。ピン２１２の径と、穴部２２５の径とは同じ大きさであるように形成されているので、穴部２２５の周囲の導電部２３０は、ピン２１２の外周面に接触する。ピン２１２を覆い、ピン２１２に接触する導電部２３０は、ピン２１２に粘着する。
【００９９】
ピン２１２に粘着する導電部２３０は、導電性を有する粘性体によって形成されている。そのため、ピン２１２に導電部２３０が粘着することによって、ピン２１２と導電部２３０とが電気的に接続されることが可能になる。導電部２３０は、電気的接続部２２４を介してリード線２２３に接続されているので、ピン２１２は、導電部２３０と電気的接続部２２４を介して、リード線２２３に電気的に接続されることが可能になる。このようにして、挿入側端子２１０のピン２１２と受容側端子２２０のリード線２２３とが電気的に接続されることによって、ピン２１２に接続されている電気回路と、リード線２２３に接続されている電気回路とが電気的に接続される。
【０１００】
図９は、挿入側端子が取り外されたときのコネクターの状態を示す断面図である。図９には、コネクターの一部分を示す。
【０１０１】
図９に示すように、挿入側端子２１０を受容側端子２２０から取り外すと、ピン２１２がレセプタクル２２２から取り出される。ピン２１２には、導電部２３０の一部の導電部２３０ａが粘着しているので、導電部２３０ａが、挿入側端子２１０のピン２１２に付着したまま、ピン２１２とともに受容側端子２２０のレセプタクル２２２から取り除かれる。
【０１０２】
挿入側端子２１０が受容側端子２２０から取り外されると、穴部２２５（図８）の周囲においてピン２１２に粘着していた導電部２３０ａがピン２１２とともに取り除かれるので、導電部２３０には、穴部２２５よりも大きい穴２３１が形成された状態になる。
【０１０３】
最初に導電部２３０に形成されていた穴部２２５（図８）の径は、ピン２１２の径と同一であるので、ピン２１２を穴部２２５に挿入すれば、ピン２１２の外周面に穴部２２５の周囲の導電部２３０が粘着する。しかし、一旦、挿入されたピン２１２を導電部２３０から抜き取ると、ピン２１２とともに一部の導電部２３０ａが穴部２２５の周囲から取り除かれて、より大きな穴２３１が形成される。このようにして形成される、より大きな穴２３１の径は、穴部２２５の径よりも大きい。すなわち、穴２３１の径は、ピン２１２の径よりも大きい。
【０１０４】
このようにすることにより、使用者が、次に、別の挿入側端子２１０を受容側端子２２０に挿入しようとしても、挿入側端子２１０のピン２１２の外周面に、導電部２３０が接触しにくい。ピン２１２に導電部２３０が接触しなければ、ピン２１２と導電部２３０とが電気的に接続されないので、挿入側端子２１０と受容側端子２２０とが電気的に接続されない。
【０１０５】
例えば、挿入側端子２１０を傾けて受容側端子２２０に受容させれば、ピン２１２を導電部２３０に接触させることができる場合がある。しかし、このようにしてピン２１２を導電部２３０に接触させても、挿入側端子２１０と受容側端子２２０とを安定して電気的に接続することができない。
【０１０６】
また、導電部２３０の厚みをできるだけ薄くすれば、一度ピン２１２を抜いた後に、別のピンを挿入したとき、そのピンと、レセプタクル２２２内に残されている導電部２３０とが接触する確率をさらに小さくすることができる。
【０１０７】
第２実施形態のコネクターのその他の構成と効果は、第１実施形態のコネクターと同様である。また、第２実施形態のコネクターによって接続される電気回路を備える電気機器の構成と効果は、第１実施形態の電気機器と同様である。
【０１０８】
（第３実施形態）
図１０は、第３実施形態として、コネクターが接続される前の状態（Ａ）と、コネクターが接続されているときの状態（Ｂ）を示す断面図である。図１０には、コネクターの一部分を示す。
【０１０９】
図１０の（Ａ）に示すように、第３実施形態のコネクター３００の挿入側端子３１０は、第１実施形態の挿入側端子１１０（図１）と同様に、非導電性の材質によって形成される板状のベース３１１に導電性の材質によって形成されるピン３１２が取り付けられた基板取付端子である。
【０１１０】
また、図１０に示すように、受容側端子３２０は、非導電性の材質によって形成されるレセプタクル（ソケット）３２２がハウジング３２１に挿入されて固定されたものである。レセプタクル３２２は、第２実施形態のレセプタクル２２２（図７〜９）と同様に、円筒状に形成されている。レセプタクル３２２の内周面上には、導電性の材質によって形成される電気的接続部３２４が配置されている。レセプタクル３２２の内部には、導電部３３０が収容されている。
【０１１１】
導電部３３０は、レセプタクル３２２の内部を充填するように収容されている。第３実施形態の受容側端子３２０が第１実施形態の受容側端子１２０と異なる点としては、レセプタクル３２２の高さ方向には、レセプタクル３２２の最下部まで導電部３３０が詰められている。また、一方で、第３実施形態の受容側端子３２０が第２実施形態の受容側端子２２０と異なる点としては、水平方向には、レセプタクル３２２の中心部まで導電部３３０が詰められており、第２実施形態の導電部２３０のような穴部２２５（図８）は形成されていない。
【０１１２】
リード線３２３は、レセプタクル３２２を貫通して、電気的接続部３２４に接続される。リード線３２３の一方の端部は、電気的接続部３２４を介して、導電部３３０と電気的に接続可能であるようにされている。リード線３２３の他方の端部は、第１実施形態と同様に、例えば、図１に示す電気機器１の高電圧デバイス１０の電気回路１１に接続されている。
【０１１３】
図１０の（Ｂ）に示すように、コネクター３００の挿入側端子３１０を受容側端子３２０に取り付けると、ピン３１２がレセプタクル３２２内の導電部３３０内に挿入される。導電部３３０には、ピン３１２によって力が加えられる。導電部３３０は、粘性体によって形成されており、加えられる力の大きさと向きに応じて変形する。この実施形態では、ピン３１２が導電部３３０の中央部に穴を形成するように変形する。導電部３３０に挿入されたピン３１２の外周面には、ピン３１２に接触する導電部３３０の少なくとも一部が粘着する。
【０１１４】
図１１は、挿入側端子が取り外されたときのコネクターの状態を示す断面図である。図１１には、コネクターの一部分を示す。
【０１１５】
図１１に示すように、挿入側端子３１０を受容側端子３２０から取り外すときにも、導電部３３０には力が加えられる。力が加えられた導電部３３０は、力が加えられる向きと大きさに応じて変形する。この実施形態では、ピン３１２は上向きにレセプタクル３２２から取り出される。ピン３１２には、導電部３３０の一部の導電部３３０ａが粘着しているので、一部の導電部３３０ａが、挿入側端子３１０のピン３１２に付着したまま、ピン３１２とともにレセプタクル３２２から上方向に抜き取られる。
【０１１６】
ピン３１２がレセプタクル３２２から上方向に抜き取られるときには、導電部３３０の一部の導電部３３０ａが粘着したまま、ピン３１２とともにレセプタクル３２２から抜き取られる。ピン３１２が抜き取られた後には、導電部３３０は、ピン３１２と、ピン３１２とともに抜き取られた一部の導電部３３０ａの分だけ、穴３３１が形成されたような形状に変形される。
【０１１７】
ピン３１２が完全に抜き取られると、導電部３３０には力が加えられないので、導電部３３０は穴３３１が形成された形状のままで保たれる。
【０１１８】
第３実施形態のコネクターのその他の構成は、第１実施形態のコネクターと同様である。また、第３実施形態のコネクターによって接続される電気回路を備える電気機器の構成と効果は、第１実施形態の電気機器と同様である。
【０１１９】
（第４実施形態）
図１２は、第４実施形態としてコネクターの全体を示す模式的に示す断面図である。
【０１２０】
図１２に示すように、第４実施形態のコネクター４００は、第１実施形態〜第３実施形態のコネクターと異なる点として、受容側端子４２０がレセプタクルを有しない。第４実施形態のコネクター４００の挿入側端子４１０は、第１実施形態〜第３実施形態と同様に、ピン４１２がベース４１１に取り付けられて構成されている。
【０１２１】
第４実施形態のコネクター４００においては、非導電性の材質によって形成されているハウジング４２１に直接、第１実施形態〜第３実施形態の受容側端子１２０（図４），２２０（図８），３２０（図１０）のような内部構造を形成したことを特徴とする。図１２には、一例として、ハウジング４２１内に第２実施形態の受容側端子２２０（図８）のような構造が形成されている場合について示している。ハウジング４２１は、筐体の一例である。
【０１２２】
このようにレセプタクルを省略する場合には、受容側端子４２０の製造工程においてハウジング４２１に直接、粘性体を挿入して導電部４３０を形成する。そのため、粘性体を別部品とするか、注入後硬化するようなゴム、樹脂、ゲル等の材料でハウジング４２１に注入して硬化工程等の後処理実施後使用する。導電部４３０とリード線４２３とは電気的接続部４２４を介して電気的に接続される。
【０１２３】
第４実施形態のコネクターのその他の構成と効果は、第１実施形態〜第３実施形態と同様である。また、第４実施形態のコネクターによって接続される電気回路を備える電気機器の構成と効果は、第１実施形態の電気機器と同様である。
【０１２４】
（第５実施形態）
図１３は、第５実施形態として、コネクターの挿入側端子の形態の例を示す断面図である。
【０１２５】
図１３の（Ａ）に示すように、挿入側端子５１０ａは、ベース５１１にピン５１２ａが取り付けられて形成されている。挿入側端子５１０ａが第１実施形態の挿入側端子１１０（図１）と異なる点としては、ピン５１２ａの外周面上には、凹凸が形成されている。
【０１２６】
また、図１３の（Ｂ）に示すように、挿入側端子５１０ｂが第１実施形態の挿入側端子１１０（図１）と異なる点としては、挿入側端子５１０ｂは、ピン５１２ｂの表面にローレット加工、つや消し加工、しぼ加工などを施して、ピン５１２ｂの表面が粗くされている。
【０１２７】
また、図１３の（Ｃ）に示すように、挿入側端子５１０ｃが第１実施形態の挿入側端子１１０（図１）と異なる点としては、挿入側端子５１０ｃは、ピン５１２ｃの先端が鏃状に形成されている。
【０１２８】
このような、表面が滑らかに形成されていない挿入側端子５１０ａ，５１０ｂ，５１０ｃのいずれかを挿入側端子として用いることによって、挿入側端子を受容側端子に挿入したときに、粘性体によって形成される導電部を挿入側端子５１０ａ，５１０ｂ，５１０ｃに粘着させやすくすることができる。導電部を挿入側端子に粘着させやすくすることによって、使用者が挿入側端子を受容側端子から取り外したときに、挿入側端子が受容側端子から導電部を掻き取る効果を大きくすることができる。
【０１２９】
受容側端子からより多くの導電部を掻き取ることによって、挿入側端子を取り外した後に、受容側端子に残る導電部の量をより少なくすることができる。受容側端子に残る導電部の量がより少なければ、例えば、挿入側端子が抜き取られた後に、より大きな穴が形成される。挿入側端子が抜き取られた後に、より大きな穴が形成されると、使用者が次に別の挿入側端子を、同じ受容側端子に挿入しても、挿入側端子と受容側端子とは、導電部によって電気的に接続されにくくなる。例えば、挿入側端子と受容側端子とを電気的に接続する導電部の量が少なければ、導電部は、挿入側端子と受容側端子とを安定して電気的に接続することができなくなったり、挿入側端子と受容側端子とを電気的に全く接続することができなくなったりする場合がある。
【０１３０】
このように、挿入側端子が受容側端子から導電部を掻き取る効果を大きくすることにより、コネクターの受容側端子と挿入側端子とを取り外した後、本来の使用目的と異なる目的のために再使用されたり、適切な使用条件を満たさない状況下で使用されたりすることを防ぐことができる。
【０１３１】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【産業上の利用可能性】
【０１３２】
この発明に従ったコネクターは、一般的にデバイスとして販売されるような機能電気部品、もしくは使用を誤ると危険を生じる恐れのある電気部品等の電源供給用コネクーとして使用が可能である。
【符号の説明】
【０１３３】
１：電気機器、１０：高電圧デバイス、２０：電源部、１００，２００，３００，４００：コネクター、１１０，２１０，３１０，４１０，５１０ａ，５１０ｂ，５１０ｃ：挿入側端子、１２０，２２０，３２０，４２０：受容側端子、１２２，２２２，３２２：レセプタクル、１３０，２３０，３３０，４３０：導電部。
【図１】
2010219008.tif 000003
【図２】
2010219008.tif 000004
【図３】
2010219008.tif 000005
【図４】
2010219008.tif 000006
【図５】
2010219008.tif 000007
【図６】
2010219008.tif 000008
【図７】
2010219008.tif 000009
【図８】
2010219008.tif 000010
【図９】
2010219008.tif 000011
【図１０】
2010219008.tif 000012
【図１１】
2010219008.tif 000013
【図１２】
2010219008.tif 000014
【図１３】
2010219008.tif 000015
【図１４】
2010219008.tif 000016